(57)【要約】【課題】水を使用しなくとも小便の臭いが生じないようにすると共に、ブロッキング液が無駄に排出されないようにした小便器を提供する。【解決手段】小便を流すための水を使用しない男性用小便器において、小便の通過する小便器の蓋を、表面側部外周にリング状凹部を形成し、中央の断面山形の凸部から該リング状凹部にスロープを形成し、小便が通過する貫通孔を多数形成して、小便の排出される流速を増大させた。前記貫通孔を斜めに傾斜するように穿設することにより、小便の落下速度が増大しても、ブロッキング液には斜めに当たるようにして、激しい攪拌混合は生じないようにした。【選択図】        図２ 
2005192690.tif 000002
【特許請求の範囲】
【請求項１】
小便を流すための水を使用しない男性用小便器において、小便の通過する小便器の蓋を、表面側部外周にリング状凹部を形成し、中央を該リング状凹部に下降スロープを形成する凸部を形成し、前記リング状凹部に間隔付けて多数の小便が通過する貫通孔を形成してなり、該貫通孔を斜めに傾斜するように穿設したことを特徴とする小便器の蓋。
【請求項２】
前記貫通孔は、垂直方向から円周方向に３０〜６０°傾斜している請求項１記載の小便器の蓋。
【請求項３】
前記小便器の蓋の山形の凸部下面には、筒体が連設され、該筒体は小便が排出されるパイプに間隔付けて外嵌し、前記貫通孔を通過した小便は、前記筒体外周のブロッキング液を収容した室に入り、小便より軽いブロッキング液の下に沈んで、前記パイプと筒体の間を通って上昇し、パイプから排出される請求項１又は２に記載の小便器の蓋。
【発明の詳細な説明】
【技術分野】
【０００１】
この発明は、小便を流すための水を使用しない小便器の蓋に係り、詳記すれば、小便が臭わず且つ小便のブロッキング液が無駄に排出されないようにした小便を流すための水を使用しない小便器の蓋に関する。
【背景技術】
【０００２】
最近、全く水を使用しない小便器が開発され、使用されている。この小便器は、図１に示すように、小便器の蓋１の下面に連設した筒体２と、該筒状体２に間隔付けて内嵌した小便の排出パイプ３と、小便器の蓋１の貫通孔４から小便が落下する室８に収容されている小便９より比重の軽いブロッキング液５とを具備している。小便９は、蓋１の貫通孔４から落下してブロッキング液５の下に潜って、筒状体２とパイプ３との間を矢印で示すように上昇し、パイプ３から排出される。従って、小便は、ブロッキング液の下に潜って臭わないので、小便を排出するための水は全く使用しない。
【発明の開示】
【発明が解決しようとする課題】
【０００３】
しかしながら、上記蓋は略平坦であり、貫通孔の数も少なかったので、小便がゆっくり流れることと、小便のきれが悪かったので、若干小便の臭いがする問題があった。
【０００４】
この問題を解決するため、中央部を山形のスロープに形成すると共に貫通孔の数を増やすことを考えたが、これでは小便が勢い良く落下するので、小便とブロッキング液とが攪拌混合し、小便と一緒にブロッキング液も少しづつ排出される問題が生じた。そればかりか、表面に若干浮く小便による臭いも多少生じる問題があった。
【０００５】
この発明は、このような点に鑑みなされたものであり、水を使用しなくとも小便の臭いが生じないようにすると共に、ブロッキング液が無駄に排出されないようにした小便器を提供することを目的とする。
【課題を解決するための手段】
【０００６】
上記目的に沿う本発明のうち請求項１に記載の発明は、小便を流すための水を使用しない男性用小便器において、小便の通過する小便器の蓋を、表面側部外周にリング状凹部を形成し、中央を該リング状凹部に下降スロープを形成する凸部を形成し、前記リング状凹部に間隔付けて多数の小便が通過する貫通孔を形成してなり、該貫通孔を斜めに傾斜するように穿設したことを特徴とする。
【０００７】
前記貫通孔は、垂直方向から円周方向に３０〜６０°傾斜しているのが好ましい（請求項２）。
【０００８】
前記小便器の蓋の山形の凸部下面には、筒体が連設され、該筒体は小便が排出されるパイプに間隔付けて外嵌し、前記貫通孔を通過した小便は、ブロッキング液を収容した室に入り、小便より比重が小さいブロッキング液の下に沈んで、前記パイプと筒体との間を通って上昇し、パイプから排出されるように構成するのが良い（請求項３）。
【０００９】
要するに本発明は、小便を短時間で排出するようにして小便が臭わないようにすると共に、小便の蓋の貫通孔を斜めに傾斜させることによって、小便の落下する勢いを減じ、その結果激しく攪拌されて、ブロッキング液の無駄な排出と小便の臭いが生じるのを防止したことを要旨とするものである。
【発明の効果】
【００１０】
本発明によれば、ブロッキング液との激しい混合を引き起こさずに、小便を直ちに排出できるので、水を使用しないでも小便が臭わないようにできると共にブロッキング液の無駄な排出も防止できる。
【発明を実施するための最良の形態】
【００１１】
図２及び図３は、本発明の一実施例を示すものであり、小便の通過する小便器の蓋１´表面は、側部外周に形成されたリング状凹部６と、中央の断面山形の凸部７と、同リング状凹部６に間隔付けて形成した多数（１０個）の小便が通過する貫通孔４´とを具備し、同貫通孔４´は図３に示すように、円周方向に斜めに傾斜するように穿設されている。
【００１２】
貫通孔４´は、従来は間隔付けて５個設けていたが、本発明においては、多数、好ましくは６〜１５個、特に好ましくは８〜１２個設けるのが良い。
【００１３】
山形の凸部７の頂点の高さは、前記貫通孔４´の表面から、好ましくは５〜２０ｍｍ、特に好ましくは１０〜１５ｍｍとするのが良い。
【００１４】
小便の蓋１´の山形の凸部７の裏面には、筒体２´が連設されている。この小便の蓋は、図１に示す従来の小便器と同じように小便器に装着される。従って、次の説明は、図１の小便器の蓋に代えて、図２及び図３に示す本発明の蓋を装着したとして説明する。
【００１５】
小便は、中央の断面山形の凸部７のスロープに沿って流れ、従来より多数の貫通孔４´から排出される。従って、便器に小便が留まる時間は、従来よりも短いので、小便の臭いは殆ど感知できないようになる。小便より比重の軽いブロッキング液５を収容した室８には、短時間に大量の小便が流れ込むが、貫通孔４´が斜めに形成されているので、小便の勢いが減じられると共にブロッキング液５には、斜めに当たるので、ブロッキング液５が激しく攪拌される現象は生じない。従って、小便はブロッキング液５の下に沈むので、ブロッキング液が小便と一緒に排出されることは無く、しかも小便の臭いも効果的にブロックされる。
【産業上の利用可能性】
【００１６】
本発明によれば、水を使用しない小便器において、従来よりも更に小便の臭いが生じないようにすることができるので、出願後直ちに実施する予定である。
【図面の簡単な説明】
【００１７】
【図１】従来の水を使用しない小便器の断面図である。
【図２】本発明の一実施例を示す斜視図である。
【図３】図２の断面図である。
【符号の説明】
【００１８】
１，１´………小便器の蓋
２，２´………筒体
３………排出パイプ
４，４´………貫通孔
５………ブロッキング液
６………リング状凹部
７………山形の凸部
８………ブロッキング液を収容した室
【図１】
2005192690.tif 000003
【図２】
2005192690.tif 000004
【図３】
2005192690.tif 000005